(57)【特許請求の範囲】
【請求項１】
低消費電力状態であるサスペンド状態に移行可能な情報処理装置と、ケーブルあるいは無線を介して通信可能な撮像装置であって、
被写体を撮像して画像信号を出力する撮像手段と、
前記撮像手段から出力された画像信号をデジタル画像データに変換する信号処理手段と、
撮像動作または撮像準備動作を前記撮像装置に行わせるためのトリガー信号を発生する信号発生手段と、
前記情報処理装置のサスペンド状態を解除するためのレジューム信号を、前記情報処理装置に対して送信する送信手段と、
前記レジューム信号の送信前に、前記情報処理装置がサスペンド状態にあるかを判定し、前記情報処理装置がサスペンド状態にあると判定した場合であり、かつ前記撮像装置と前記情報処理装置が接続されている場合、前記トリガー信号が発生したことに応じて前記情報処理装置にレジューム信号を送信するよう前記送信手段を制御する制御手段と、
を有することを特徴とする撮像装置。
【請求項２】
前記デジタル画像データを記録する記録手段をさらに有することを特徴とする請求項１に記載の撮像装置。
【請求項３】
撮像準備動作を起動する第１の接点と、撮像動作及び前記デジタル画像データの作成動作及び記録動作を起動する第２の接点とを少なくとも有するスイッチをさらに有し、前記第１の接点がＯＮされたときに、前記送信手段が前記レジューム信号を送信することを特徴とする請求項２に記載の撮像装置。
【請求項４】
撮像準備動作を起動する第１の接点と、撮像動作及び前記デジタル画像データの作成動作及び記録動作を起動する第２の接点とを少なくとも有するスイッチをさらに有し、前記第２の接点がＯＮされたときに、前記送信手段が前記レジューム信号を送信することを特徴とする請求項２に記載の撮像装置。
【請求項５】
前記信号発生手段は、前記撮像装置に設けられた特定のスイッチであることを特徴とする請求項１または２に記載の撮像装置。
【請求項６】
表示手段をさらに有し、
前記撮像装置と前記情報処理装置が接続され、かつ前記制御手段により前記情報処理装置がサスペンドの状態にあると判定された場合、前記表示手段は、前記情報処理装置がサスペンド状態であることを示す情報を表示することを特徴とする請求項１乃至５のいずれか１項に記載の撮像装置。
【請求項７】
前記撮像装置は、ＵＳＢ仕様に基づき前記情報処理装置と通信することを特徴とする請求項１乃至６のいずれか１項に記載の撮像装置。
【請求項８】
低消費電力状態であるサスペンド状態に移行可能な情報処理装置と、ケーブルあるいは無線を介して通信可能な撮像装置であり、かつ被写体を撮像して画像信号を出力する撮像手段と、該撮像手段から出力された画像信号をデジタル画像データに変換する信号処理手段と、撮像動作または撮像準備動作を前記撮像装置に行わせるトリガー信号を発生する信号発生手段と、前記情報処理装置のサスペンド状態を解除するためのレジューム信号を、前記情報処理装置に対して送信する送信手段と、を有する撮像装置を制御するための撮像装置の制御方法であって、
前記レジューム信号の送信前に、前記情報処理装置がサスペンド状態にあるかを判定し、前記情報処理装置がサスペンド状態にあると判定した場合であり、かつ前記撮像装置と前記情報処理装置が接続されている場合、前記トリガー信号が発生したことに応じて前記情報処理装置にレジューム信号を送信するよう前記送信手段を制御することを特徴とする撮像装置の制御方法。
【請求項９】
コンピュータを、
低消費電力状態であるサスペンド状態に移行可能な情報処理装置と、ケーブルあるいは無線を介して通信可能な撮像装置であって、
被写体を撮像して画像信号を出力する撮像手段と、
前記撮像手段から出力された画像信号をデジタル画像データに変換する信号処理手段と、
撮像動作または撮像準備動作を前記撮像装置に行わせるトリガー信号を発生する信号発生手段と、
前記情報処理装置のサスペンド状態を解除するためのレジューム信号を、前記情報処理装置に対して送信する送信手段と、
前記レジューム信号の送信前に、前記情報処理装置がサスペンド状態にあるかを判定し、前記情報処理装置がサスペンド状態にあると判定した場合であり、かつ前記撮像装置と前記情報処理装置が接続されている場合、前記トリガー信号が発生したことに応じて前記情報処理装置にレジューム信号を送信するよう前記送信手段を制御する制御手段とを有する撮像装置として機能させるためのコンピュータ読み取り可能なプログラムを記憶した記憶媒体。
【発明の詳細な説明】
【０００１】
【発明の属する技術分野】
本発明は、通信相手である情報処理装置がサスペンド状態にあるときに、レジューム信号を送信して、情報処理装置のサスペンド状態を解除する技術に関するものである。
【０００２】
【従来の技術】
デジタルカメラなどの撮像装置においては、ＣＣＤなどの撮像素子で撮影された画像信号を、Ａ／Ｄ変換器および信号処理手段によってデジタル画像信号に変換する。このデジタル画像信号を圧縮手段によってＪＰＥＧなどの圧縮処理を施して、画像ファイルにしてメモリカードなどの記録手段に保存する。
【０００３】
ところで、撮像装置とコンピュータとをＵＳＢなどの送受信手段で接続して、メモリカードに保存された画像ファイルを撮像装置からコンピュータに送信することがある。しかし、コンピュータが低電力消費モードであるサスペンド状態にはいったときには、コンピュータのデータ送受信手段が動作可能な状態でないため、撮像装置からコンピュータに画像ファイルを送信することができなかった。このようにコンピュータが一旦サスペンド状態になった後に、再び撮像装置からコンピュータに画像ファイルを送信するためには、従来では、まず、コンピュータの特定のスイッチを押すなどして、コンピュータのサスペンド状態を解除してＵＳＢなどの送受信手段を動作可能な状態にする必要があった。
【０００４】
【発明が解決しようとする課題】
しかしながら、上記のような従来の撮像装置では、コンピュータを低電力消費モードであるサスペンド状態から復帰させてＵＳＢなどの送受信手段を動作可能な状態にするためには、ユーザーが撮像装置を操作中であっても、一旦撮像装置から手を離して、コンピュータを操作する必要があり、煩わしく、また、そのためにシャッターチャンスを逃すことがあるという問題点があった。
【０００５】
従って、本発明は上述した課題に鑑みてなされたものであり、その目的は、コンピュータ等に画像データを送信する場合の操作性を向上させることができる撮像装置及びその制御方法及び記憶媒体を提供することである。
【０００６】
【課題を解決するための手段】
上述した課題を解決し、目的を達成するために、本発明に係わる撮像装置は、低消費電力状態であるサスペンド状態に移行可能な情報処理装置と、ケーブルあるいは無線を介して通信可能な撮像装置であって、被写体を撮像して画像信号を出力する撮像手段と、前記撮像手段から出力された画像信号をデジタル画像データに変換する信号処理手段と、撮像動作または撮像準備動作を前記撮像装置に行わせるためのトリガー信号を発生する信号発生手段と、前記情報処理装置のサスペンド状態を解除するためのレジューム信号を、前記情報処理装置に対して送信する送信手段と、前記レジューム信号の送信前に、前記情報処理装置がサスペンド状態にあるかを判定し、前記情報処理装置がサスペンド状態にあると判定した場合であり、かつ前記撮像装置と前記情報処理装置が接続されている場合、前記トリガー信号が発生したことに応じて前記情報処理装置にレジューム信号を送信するよう前記送信手段を制御する制御手段と、を有することを特徴としている。
【００１４】
また、本発明に係わる撮像装置の制御方法は、低消費電力状態であるサスペンド状態に移行可能な情報処理装置と、ケーブルあるいは無線を介して通信可能な撮像装置であり、かつ被写体を撮像して画像信号を出力する撮像手段と、該撮像手段から出力された画像信号をデジタル画像データに変換する信号処理手段と、撮像動作または撮像準備動作を前記撮像装置に行わせるトリガー信号を発生する信号発生手段と、前記情報処理装置のサスペンド状態を解除するためのレジューム信号を、前記情報処理装置に対して送信する送信手段と、を有する撮像装置を制御するための撮像装置の制御方法であって、前記レジューム信号の送信前に、前記情報処理装置がサスペンド状態にあるかを判定し、前記情報処理装置がサスペンド状態にあると判定した場合であり、かつ前記撮像装置と前記情報処理装置が接続されている場合、前記トリガー信号が発生したことに応じて前記情報処理装置にレジューム信号を送信するよう前記送信手段を制御することを特徴としている。
【００１８】
【発明の実施の形態】
以下、本発明の好適な実施形態について、添付図面を参照して詳細に説明する。
【００１９】
（第１の実施形態）
図１は本発明の撮像装置の第１の実施形態の構成を示すブロック図である。
【００２０】
図１に示すように、本実施形態の撮像装置１２は、光学系１を介して結像した被写体像をＣＣＤ等の撮像素子２で光電変換し、Ａ／Ｄ変換器３、および信号処理手段４によってデジタル画像信号に変換する。デジタル画像信号はメモリ手段５に取り込まれる。メモリ手段５に取り込まれたデジタル画像信号は、圧縮手段８によってＪＰＥＧなどの圧縮処理を受けて、ファイルとしてメモリ手段５に保存される。また本実施形態の撮像装置１２は、上記各手段を制御するＣＰＵ７と制御手段６、この制御手段６に接続されたレリーズスイッチ１０、及び表示手段１１を備えている。また本実施形態の撮像装置はＵＳＢ・Ｉ／Ｆ回路９を備えている。
【００２１】
ここで、上記光学系１はレンズや絞り、光学フィルター、シャッター等から構成され、撮像素子に被写体像を結像させるものである。
【００２２】
また、撮像素子２は、光学系１の結像した被写体像を電気的信号に変換するＣＣＤ等である。
【００２３】
Ａ／Ｄ変換器３は、撮像素子２から出力される連続的な電気的信号をデジタル変換するものである。
【００２４】
信号処理手段４は、デジタル変換された信号に対して、信号処理を施すことによりデジタル画像信号を生成するものである。
【００２５】
メモリ手段５は信号処理手段４から出力されるデジタル画像信号を一時的に取り込んだり、あるいはファイル形式になったデジタル画像信号を保存するためのものであり、内部メモリあるいはコンパクトフラッシュメモリなどの外部のメモリカード等により構成される。
【００２６】
また、制御手段６およびＣＰＵ７は、撮像装置１２全体の制御を行うものである。
【００２７】
圧縮手段８は、信号処理手段４から出力され、メモリ手段５に一時的に取り込まれたデジタル画像信号に対してＪＰＥＧなどの圧縮処理を施すためのものである。
【００２８】
ＵＳＢ・Ｉ／Ｆ回路９は、ＵＳＢ仕様に基づいたデータの送受信方法で、コンピュータ１３との間で、デジタル画像信号の送受信を行ったり、制御命令の送受信を行ったり、コンピュータや撮像装置の状態を知らせるための送受信を行ったりする。
【００２９】
ところで、ＵＳＢの仕様では、コンピュータが低電力消費モードであるサスペンド状態に入ると、コンピュータと、ＵＳＢの送受信手段を介して接続されているデバイスとの間では、いかなるデータの送受信もできなくなる。ＵＳＢではコンピュータからの命令をきっかけにして、データの送受信が行われるため、この状態ではデバイス側からコンピュータに対して何らかのデータを送信することもできなくなる。コンピュータが一旦サスペンド状態になった後に、再びＵＳＢでのデータの送受信を行うためには、コンピュータを操作してサスペンド状態を解除するか、ＵＳＢの仕様で定められたリモートウェイクアップ機能を使って、デバイス側からコンピュータに対してレジューム信号を送信することによって、コンピュータのサスペンド状態を解除する必要がある。
【００３０】
本実施形態の撮像装置１２では、制御手段６およびＣＰＵ７の制御によって、ＵＳＢ・Ｉ／Ｆ回路９からレジューム信号を送信することができる。
【００３１】
レリーズスイッチ１０は、少なくとも２つ以上の接点を有するスイッチで、例えば、押下される量に応じて２段階の状態が切り替わる構造となっており、途中まで押下したときにはＳＷ１で示される第１の接点が選択され、最後まで押下したときにはＳＷ２で示される第２の接点が選択される。第１の接点が選択されたときに、ＡＦやＡＥなどの撮影準備動作を行い、第２の接点が選択されたときに撮像動作およびデジタル画像データの作成動作および記録動作を行う。
【００３２】
また、本実施形態の撮像装置１２では、後述するとおり、レリーズスイッチ１０の第１の接点が選択されたときに、ＵＳＢ・Ｉ／Ｆ回路９からレジューム信号を送信する。
【００３３】
表示手段１１は、制御手段６およびＣＰＵ７の制御により、撮像装置の各種の状態を表示したり、保存されている画像ファイルをユーザーからの指示により順次表示するものであり、ＬＣＤやＴＦＴ液晶等で構成される。
【００３４】
次に、上記構成の撮像装置が、ＵＳＢによる送受信手段によりコンピュータと接続された状態で、撮像装置でデジタル画像を順次作成し、メモリに記録し、それとともに、メモリに記録された画像ファイルをコンピュータに転送する場合の動作説明を行う。
【００３５】
図２は、本実施形態の動作を示したフローチャートである。
【００３６】
まず、撮像装置とコンピュータとはＵＳＢによって接続されている状態とする（Ｓ１１）。次にユーザーによってＳＷ１が押下されると（Ｓ１２）、撮像装置は撮影準備動作を行う（Ｓ１３）。次に撮影後のコンピュータへの画像ファイルの転送に備えて、コンピュータがサスペンド状態にあるかどうかを調べ（Ｓ１４）、サスペンド状態にある場合には、ＵＳＢ・Ｉ／Ｆ回路９を介してレジューム信号を送信する（Ｓ１５）。サスペンド状態にない場合は、レジューム信号を送信するステップはスキップする。次にユーザーによってＳＷ２が押されたかどうかを調べる（Ｓ１６）。ＳＷ２が押されたかどうかのチェックは一定時間行い、一定時間経過の後もＳＷ２が押されていないときは、ユーザーが撮影動作を中止した可能性があるため、再びＳ１２に戻り、ＳＷ１が押されているかどうかのチェックに移る。Ｓ１６でＳＷ２が押されているときはデジタル画像を１枚撮影・作成した後、メモリに記録する（Ｓ１７）。最後に、メモリに記録したデジタル画像をＵＳＢ送受信手段を使用してコンピュータに送信することにより（Ｓ１８）、撮像装置でデジタル画像を１枚作成し、メモリに記録し、それとともに、メモリに記録された画像ファイルをコンピュータに転送するシーケンスが完了する。
【００３７】
そして再びＳ１２でユーザーによる撮影準備指示を待つこととなる。
【００３８】
すなわち、本実施形態の撮像装置においては、撮像装置における撮影と同時にコンピュータに撮影した画像を送信する場合に、ユーザーがＳＷ１を押下したときに、コンピュータがサスペンド状態であれば撮像装置がレジューム信号をコンピュータに自動的に送信するため、わざわざユーザーがコンピュータを操作してサスペンド状態を解除する必要がない。したがって、ユーザーの煩わしさを取り除くとともに、ユーザーがコンピュータを操作することが理由でシャッターチャンスを逃すことがなくなる。
【００３９】
（第２の実施形態）
第１の実施形態では、ユーザーがＳＷ１を押下したのをトリガーとして、撮像装置はコンピュータに対してレジューム信号を送信していた。
【００４０】
しかし、撮影者はＳＷ１を押下した後、必ずしもＳＷ２を押下して撮影動作を行うとは限らず、その場合実際には画像ファイルをコンピュータに転送することがないにも関わらず、コンピュータのサスペンド状態を解除してしまうことになる。
【００４１】
そこで、第２の実施形態では、ユーザーがＳＷ２を押下したのをトリガーとして、撮像装置がコンピュータに対してレジューム信号を送信することとする。
【００４２】
第２の実施形態の撮像装置の構成は図１で示したものと同様である。
【００４３】
図３は、本実施形態の動作を示したフローチャートである。
【００４４】
まず、撮像装置とコンピュータとはＵＳＢによって接続されている状態とする（Ｓ２１）。
【００４５】
次にユーザーによってＳＷ１が押下されると（Ｓ２２）、撮像装置は撮影準備動作を行う（Ｓ２３）。次にユーザーによってＳＷ２が押されたかどうかを調べる（Ｓ２４）。ＳＷ２が押されたかどうかのチェックは一定時間行い、一定時間経過の後もＳＷ２が押されていないときは、ユーザーが撮影動作を中止した可能性があるため、再びＳ２２に戻り、ＳＷ１が押されているかどうかのチェックに移る。Ｓ２４でＳＷ２が押されているときは、撮影後のコンピュータへの画像ファイルの転送に備えて、コンピュータがサスペンド状態にあるかどうかを調べ（Ｓ２５）、サスペンド状態にある場合には、ＵＳＢ・Ｉ／Ｆ回路を介してレジューム信号を送信する（Ｓ２６）。サスペンド状態にない場合は、レジューム信号を送信するステップはスキップする。デジタル画像を１枚撮影・作成した後、メモリに記録する（Ｓ２７）。最後に、メモリに記録したデジタル画像をＵＳＢ送受信手段を使用してコンピュータに送信することにより（Ｓ２８）、撮像装置でデジタル画像を１枚作成し、メモリに記録し、それとともに、メモリに記録された画像ファイルをコンピュータに転送するシーケンスが完了する。
【００４６】
そして再びＳ２２でユーザーによる撮影準備指示を待つこととなる。
【００４７】
すなわち、本実施形態の撮像装置においては、撮像装置における撮影と同時にコンピュータに撮影した画像を送信する場合に、ユーザーがＳＷ２を押下したときに、コンピュータがサスペンド状態であれば撮像装置がレジューム信号をコンピュータに自動的に送信するため、第１の実施形態と同様に、わざわざユーザーがコンピュータを操作してサスペンド状態を解除する必要がない。したがって、ユーザーの煩わしさを取り除くとともに、ユーザーがコンピュータを操作することが理由でシャッターチャンスを逃すことがなくなる。
【００４８】
（第３の実施形態）
第３の実施形態では、ユーザーがＳＷ２を押下して、撮影動作およびデジタル画像データの作成および記録動作を行った後に、撮像装置がコンピュータに対してレジューム信号を送信することとする。
【００４９】
第３の実施形態の撮像装置の構成は図１で示したものと同様である。
【００５０】
図４は、本実施形態の動作を示したフローチャートである。
【００５１】
まず、撮像装置とコンピュータとはＵＳＢによって接続されている状態とする（Ｓ３１）。次にユーザーによってＳＷ１が押下されると（Ｓ３２）、撮像装置は撮影準備動作を行う（Ｓ３３）。次にユーザーによってＳＷ２が押されたかどうかを調べる（Ｓ３４）。ＳＷ２が押されたかどうかのチェックは一定時間行い、一定時間経過の後もＳＷ２が押されていないときは、ユーザーが撮影動作を中止した可能性があるため、再びＳ３２に戻り、ＳＷ１が押されているかどうかのチェックに移る。Ｓ３４でＳＷ２が押されているときは、デジタル画像を１枚撮影・作成した後、メモリに記録する（Ｓ３５）。次にコンピュータへの画像ファイルの転送に備えて、コンピュータがサスペンド状態にあるかどうかを調べ（Ｓ３６）、サスペンド状態にある場合には、ＵＳＢ・Ｉ／Ｆ回路を介してレジューム信号を送信する（Ｓ３７）。サスペンド状態にない場合は、レジューム信号を送信するステップはスキップする。最後に、メモリに記録したデジタル画像をＵＳＢ送受信手段を使用してコンピュータに送信することにより（Ｓ３８）、撮像装置でデジタル画像を１枚作成し、メモリに記録し、それとともに、メモリに記録された画像ファイルをコンピュータに転送するシーケンスが完了する。
【００５２】
そして再びＳ３２でユーザーによる撮影準備指示を待つこととなる。
【００５３】
すなわち、本実施形態の撮像装置においては、撮像装置における撮影と同時にコンピュータに撮影した画像を送信する場合に、ユーザーがＳＷ２を押下して、撮影動作およびデジタル画像データの作成および記録動作を行った後に、コンピュータがサスペンド状態であれば撮像装置がレジューム信号をコンピュータに自動的に送信するため、第１、第２の実施形態と同様に、わざわざユーザーがコンピュータを操作してサスペンド状態を解除する必要がない。したがって、ユーザーの煩わしさを取り除くとともに、ユーザーがコンピュータを操作することが理由でシャッターチャンスを逃すことがなくなる。
【００５４】
なお、上述した３つの実施形態のほかに、撮像装置が備える任意のスイッチをユーザーが押下することによって、コンピュータがサスペンド状態であれば撮像装置がレジューム信号をコンピュータに自動的に送信するようにすれば、同様に、わざわざユーザーがコンピュータを操作してサスペンド状態を解除する必要がなくなる。したがって、ユーザーの煩わしさを取り除くとともに、ユーザーがコンピュータを操作することが理由でシャッターチャンスを逃すことがなくなる。
【００５５】
また、以上のいずれの実施形態においても、ＵＳＢ接続されているコンピュータがサスペンド状態であるか否かの情報を、図１の表示手段１１に表示することによって、ユーザーがコンピュータのサスペンド状態に関する情報を、撮像装置を操作しながら得ることができる。
【００５６】
また、上記の実施形態においては、ユーザーによるシャッターボタンの手動操作によりレジューム信号を送信する場合について説明したが、本発明はこれに限定されることなく、例えば一定時間毎に間欠的に自動撮影を行う場合などでは、ユーザーが手動によりスイッチを起動しなくても、撮影のタイミング毎に自動的にレジューム信号が送信されるように構成されていてもよい。
【００５７】
また、本発明における撮像装置とは、カメラ等に限らず、例えばスキャナー等のように、画像を取り込んで画像信号を送信するもの全般を指すものである。
【００５８】
また、本発明では、撮像部と制御装置部は、１つの筐体等に配置されるように構成されていてもよいし、別々の筐体内に配置されてケーブルあるいは無線等で接続されるように構成されていてもよい。
【００５９】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００６０】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれることは言うまでもない。
【００６１】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれることは言うまでもない。
【００６２】
本発明を上記記憶媒体に適用する場合、その記憶媒体には、先に説明した（図２乃至図４に示す）フローチャートに対応するプログラムコードが格納されることになる。
【００６３】
【発明の効果】
以上説明したように、本発明によれば、わざわざユーザーがコンピュータを操作してサスペンド状態を解除する必要がなくなり、ユーザーの煩わしさを取り除くとともに、ユーザーがコンピュータを操作することが理由でシャッターチャンスを逃す等の問題のない撮像装置を実現できる。
【図面の簡単な説明】
【図１】本発明の撮像装置の実施形態の概略構成を示すブロック図である。
【図２】本発明の撮像装置の第１の実施形態における撮像動作およびコンピュータへの画像ファイルの送信動作の流れを示すフローチャートである。
【図３】本発明の撮像装置の第２の実施形態における撮像動作およびコンピュータへの画像ファイルの送信動作の流れを示すフローチャートである。
【図４】本発明の撮像装置の第３の実施形態における撮像動作およびコンピュータへの画像ファイルの送信動作の流れを示すフローチャートである。
【符号の説明】
１  光学系
２  撮像素子
３  Ａ／Ｄ
４  信号処理手段
５  メモリ手段
６  制御手段
７  ＣＰＵ
８  圧縮手段
９  ＵＳＢ  Ｉ／Ｆ
１０  レリーズＳＷ
１１  コンピュータ
１２  撮像装置
【図１】
0004365932.tif 000002
【図２】
0004365932.tif 000003
【図３】
0004365932.tif 000004
【図４】
0004365932.tif 000005